(57)【特許請求の範囲】
【請求項１】
基端を閉鎖し先端を開口した肛門から挿入される筒体の内部に便を基端方向に送る回転羽根を設け、同回転羽根の先端に便破砕刃を取付け、筒体内部の基端部分に設けた排出口に吸引ポンプと接続された排出チューブを接続し、回転羽根を回動する駆動部を筒体の基端に取付け、筒体の先端に拡縮自在なラッパ状保護体を取付け、回転羽根を筒体内部で進退自在にし、保護体の内側突出部に回転羽根の先端部分が接衝して保護体を外方へ開くように拡巾する排便装置。
【請求項２】
駆動部が筒体の基端に脱着自在に取付けられた請求項１記載の排便装置。
【請求項３】
回転羽根の基端側又は中間部分に破砕羽根を取付けた請求項１又は２記載の排便装置。
【請求項４】
回転羽根がスクリュー羽根である請求項１〜３記載の排便装置。
【請求項５】
筒体の外周に肛門と水密状に固定する膨縮自在な環状バルーンを設けた請求項１〜４記載の排便装置。
【請求項６】
筒体の基端の底面が筒体内を進退するピストン体で形成され、同ピストン体の中心に回転羽根の回転軸を回転且つ進退自在に貫通させ、駆動部は回転軸を駆動軸と脱着自在に取付け、しかも駆動部をピストン体と脱着自在に取付けた請求項１〜５記載の排便装置。
【発明の詳細な説明】
【０００１】
【発明の属する技術分野】
本発明は、排便力が弱った老人・患者，体が動かせない老人・患者の排出できない腸内の便，排便できないで直腸で詰まった便，宿便等を強制排出するための装置に関する。
【０００２】
【従来の技術】
本出願人は、肛門から直腸内に挿入して、便を強制排出する排便装置を開発した。その排便装置は、肛門から挿入される筒体内に回転破砕刃を筒体の先端開口から外に出せるように進退自在に設け、筒体内部を吸引ポンプと接続して筒体内を負圧にし、破砕した便を吸引力で外部に排出させる構造である。しかしながら、この従来の装置では、回転破砕刃によって破砕された便が吸引力のみでは充分に外部へ排出することができず、途中で詰まることがあった。
【０００３】
【発明が解決しようとする課題】
本発明が解決しようとする課題は、従来のこれらの問題点を解消し、破砕した便を確実に排出できる排便装置を提供することにある。第２の課題は駆動部を汚さずに脱着自在として駆動部の繰り返し使用を容易にすることにある。
【０００４】
【課題を解決するための手段】
かかる課題を解決した本発明の構成は、
１）  基端を閉鎖し先端を開口した肛門から挿入される筒体の内部に便を基端方向に送る回転羽根を設け、同回転羽根の先端に便破砕刃を取付け、筒体内部の基端部分に設けた排出口に吸引ポンプと接続された排出チューブを接続し、回転羽根を回動する駆動部を筒体の基端に取付け、筒体の先端に拡縮自在なラッパ状保護体を取付け、回転羽根を筒体内部で進退自在にし、保護体の内側突出部に回転羽根の先端部分が接衝して保護体を外方へ開くように拡巾する排便装置
２）  駆動部が筒体の基端に脱着自在に取付けられた前記１）記載の排便装置
３）  回転羽根の基端側又は中間部分に破砕羽根を取付けた前記１）又は２）記載の排便装置
４）  回転羽根がスクリュー羽根である前記１）〜３）記載の排便装置
５）  筒体の外周に肛門と水密状に固定する膨縮自在な環状バルーンを設けた前記１）〜４）記載の排便装置
６）  筒体の基端の底面が筒体内を進退するピストン体で形成され、同ピストン体の中心に回転羽根の回転軸を回転且つ進退自在に貫通させ、駆動部は回転軸を駆動軸と脱着自在に取付け、しかも駆動部をピストン体と脱着自在に取付けた前記１）〜５）記載の排便装置
にある。
【０００５】
【発明の実施の形態】
本発明の筒体，回転羽根，ピストン体，駆動部ケーシング，回転破砕刃は硬質プラスチックで製造するのが一般的であり、駆動部は電動モータで回動させるのを普通とする。又筒体の肛門に挿入される先端部分の外径は２０ミリ前後である。
本発明の筒体内の回転羽根としては、スクリュー羽根，プロペラ状送り羽根を複数設けたものが代表的である。更に排出チューブが大きい便で詰まらないように、回転羽根と同軸に筒体内の破砕羽根（破砕刃）を基端又は途中に設けることが好ましい。
回転羽根を筒体内で進退自在とする方法としては、回転羽根の中心の回転軸を筒体の底壁又はこれに代わるピストン体に水密状に貫通させ、筒体の基端の外部から回転軸に押し・引き力を与えて回転羽根を進退させるのが代表例である。
本発明の吸引ポンプとしては、排出チューブ内の空気を吸引して負圧を発生させる空気吸引タイプと、排出チューブを外側から排出方向に押圧していくことで内部の便を排出方向に送るスクイズ式ポンプタイプとがある。
【０００６】
【実施例】
以下、本発明の実施例を図面に基づいて説明する。
図１は実施例の縦断面図である。図２は実施例の駆動部を外した使用前の状態の説明図である。図３は、実施例の回転羽根と回転破砕刃を示す側面図である。図４は、実施例のピストン体の斜視図である。図５は、実施例の拡巾した保護体を示す平面図である。
【０００７】
図中、１は、プラスチック製で、肛門から挿入される先端部分の外径が２０ミリ外径の３段で外径が基端方向に拡径する筒体、１ａは便の排出口、１ｂは駆動部取付部、２は回転羽根、２ａは同回転羽根の回転軸、２ｂは回転軸２ａの軸端に取付けた駆動部５の駆動軸５ｂとの連係部、２ｃは回転軸２ａの基端に取付けた破砕羽根、３は回転羽根２の先端に取付けた便破砕刃、３ａは同便破砕刃のＶ字状の破砕突起を有する刃体、３ｂは同刃体に枢支３ｃされて外側へ遠心力で動く回動刃、３ｃは回動刃の枢支、３ｄは回転羽根２の先端に取付けた回転羽根軸支用リング、３ｅは回動刃３ｂの開状態のストッパー、４は筒体１の底面を形成するピストン体、４ａ，４ｂは水密性の為のシールリング、４ｃは駆動部５の環状嵌入空間５ａに挿入される筒部、４ｄは同筒部に設けたＬ字状の係止スリット、５は駆動部、５ａは駆動部の電動モータ、５ｂは同電動モータ５ａによって回動する駆動軸、５ｃは同駆動軸の軸端に設けた回転軸２ａの軸端の連係部を挿入して回転を連動させるカップリング部、５ｄ，５ｅは嵌入筒部、５ｆは嵌入筒部５ｄの外側に突出させた係止ピン、５ｇは電源コード、５ｈは駆動部ケーシングである。６は筒体１の先端に拡縮自在に取付けたラッパ状保護体、６ａは同保護体を構成する骨材で基端で筒体１の先端と揺動自在に連結されている。６ｂは骨材６ａ間に張架された保護膜、６ｃは骨材６ａの内側の突起、６ｄは骨材６ａと筒体１との連結部、７はデンプン質の水溶性キャップ、８は排出チューブ、９はスクイズ式の吸引ポンプ、１０は筒体１の外周に設けた２つの環状バルーン、１０ａは同バルーンへの空気注入チューブ、１１は排泄物収容器、１２は肛門、１３は直腸である。
【０００８】
この実施例では、図２に示すように排出口１ａに排出チューブ８を接続し、保護体６を閉じ、水溶性キャップ７を被せて、肛門１２から挿入する。挿入した後、逆止弁付の空気注入チューブ１０ａから空気を圧入すると２個のバルーン１０が膨張して肛門１２に水密状に固定させる。必要に応じて排出チューブ８から温水を注入し、キャップ７を強制的に溶かす。
その後、駆動部５を筒体１の基端部のピストン体４の後部に嵌合する。このとき駆動部５の嵌入筒部５ｄの係止ピン５ｆがピストン体４のＬ字状の係止スリット４ｄに入れて、奥で回転させることで係止ピン５ｆを介してピストン体４と駆動部５とを一緒に進退できるようにする。又同時に中心の回転軸２ａの軸端の連係部２ｂを駆動軸５ｂの先端のカップリング部５ｃに嵌合して回転方向に一緒に回転するように連結する。
【０００９】
その後駆動部５を押すことでピストン体４及び回転軸２ａ，回転羽根２，先端のリング３ｄ，便破砕刃３を直腸１３の奥の方へ押し進める。
リング３ｄが筒体開口１ｃより前方に突出すると、骨材６ａの内側の突起６ｃと接衝して骨材６ａをその基端の連結部６ｄまわりに外方向に拡がるように外傾し、折り畳まれていた保護膜６ｂがラッパ状に張られて保護体６が形成される。この状態にして、駆動部５の電動モータ５ａを作動させると、駆動軸５ｂ，カップリング部５ｃを介して回転軸２ａが回転する。これによって先端の便破砕刃３が回転し、刃体３ａで中心部分の便を破砕し、又回動刃３ｂがその回転による遠心力で枢支３ｃまわりに外方向に回転し、ストッパー３ｅで係止して開いた状態が保持され、広い範囲を回動刃３ａによって便を破砕する。便破砕刃３は保護体６内にあるので腸壁との直接の接触はなく、腸壁を損傷させることがない。刃体３ａ，回動刃３ａによって破砕された便は、吸引ポンプ９による吸引力によって筒体１の先端開口１ｃより筒体内に入り、内部のスクリュー羽根の回転羽根２によって便は基端方向へ強制送りされ、破砕羽根３ｄによって確実に破砕されて排出口１ａを介して排出チューブ８によって外部へ排出される。このように本実施例では、駆動部５は筒体１に対して脱着自在とすることで、特にピストン体４を介在させることで駆動部５が便で汚れることを少なくし、交換又は使い捨てされる筒体１側に対して多数回使えるようにした。
又筒体内の回転羽根２によって、筒体４内の便を強制的に排出口１ａの方へ移動させることができ、又破砕羽根３ｄによって確実に小さく破砕して排出チューブへ送り、チューブ途中で詰らせることを少なくしている。
【００１０】
【発明の効果】
以上の様に、本発明によれば、筒体内の便を基端方向へ回転羽根によって、ポンプによる負圧吸引の他に強制送りが加わって便を確実に送り又筒体先端開口からの吸引力も増大させ、排便能力を高める。
駆動部が筒体に脱着自在であれば、洗浄しなければ使用できない筒体、又は使い捨ての筒体に対し、汚れが少ない駆動部は多数回使用でき、排便装置のコストを安価にできる。
更に回転羽根の途中、又は基端に破砕刃を設ければ確実に小さくして排出チューブを詰まらせないように送ることができる。
【図面の簡単な説明】
【図１】実施例の縦断面図である。
【図２】実施例の駆動部を外した使用前の状態の説明図である。
【図３】実施例の回転羽根と回転破砕刃を示す側面図である。
【図４】実施例のピストン体の斜視図である。
【図５】実施例の拡巾した保護体を示す平面図である。
【符号の説明】
１  筒体
１ａ  排出口
１ｂ  駆動部取付部
１ｃ  先端開口
２  回転羽根
２ａ  回転軸
２ｂ  連係部
２ｃ  破砕羽根
３  便破砕刃
３ａ  刃体
３ｂ  回動刃
３ｃ  枢支
３ｄ  リング
３ｅ  ストッパー
４  ピストン体
４ａ，４ｂ  シールリング
４ｃ  筒部
４ｄ  係止スリット
５  駆動部
５ａ  電動モータ
５ｂ  駆動軸
５ｃ  カップリング部
５ｄ，５ｅ  嵌入筒部
５ｆ  係止ピン
５ｇ  電源コード
５ｈ  駆動部ケーシング
６  保護体
６ａ  骨材
６ｂ  保護膜
６ｃ  突起
６ｄ  連結部
７  水溶性キャップ
８  排出チューブ
９  吸引ポンプ
１０  バルーン
１０ａ  空気注入チューブ
１１  排泄物収容器
１２  肛門
１３  直腸
【図１】
0003581629.tif 000002
【図２】
0003581629.tif 000003
【図３】
0003581629.tif 000004
【図４】
0003581629.tif 000005
【図５】
0003581629.tif 000006